(57)【要約】【解決手段】  本発明は玩具分野に関し、より詳しくは、磁石を装着するための磁石装着用部品および磁石玩具に関する。特に本発明は、磁石（１０）が装着され、外部磁石の装着された磁石装着用部品と噛み合う歯車（４２）が備えられた磁石装着部（４０）と、磁石装着部（４０）が受容され、磁石装着部（４０）の歯車（４２）が露出されるように開放部（５４a）の形成された受容部（５０）と、磁石装着部（４０）および受容部（５０）と互いに噛み合って回転できるように設けられ、磁石装着部（４０）の歯車（４２）の鋸歯の間隔よりも単位回転間隔が小さくなるように形成された微細回転角調整部（６０）とを含む、磁石装着用部品（３０）を提供する。【選択図】図１
2015503396.tif 000002
【特許請求の範囲】
【請求項１】
磁石（１０）が装着され、外部磁石の装着された磁石装着用部品と噛み合う歯車（４２）が備えられた磁石装着部（４０）；
前記磁石装着部（４０）が受容される受容空間（５２ａ）が形成され、前記磁石装着部（４０）の歯車（４２）が露出されるように開放部（５２ａ）が形成された受容部（５０）；
前記磁石装着部（４０）と前記受容部（５０）との間に互いに噛み合って回転できるように備えられ、前記磁石装着部（４０）の歯車（４２）の鋸歯間隔より単位回転間隔がより小さくなるように形成された微細回転角調整部（６０）を；
含むことを特徴とする磁石装着用部品（３０）。
【請求項２】
請求項１において、
前記磁石装着部（４０）は、中央に前記磁石（１０）が装着され、軸方向に沿う両断面に各々前記歯車（４２）が備えられたリング型に形成され、
前記受容空間（５２ａ）で回転して前記歯車（４２）の備えられた両断面が裏返られる大きさに形成されたことを特徴とする磁石装着用部品（３０）。
【請求項３】
請求項２において、
前記受容部（５０）は、
軸方向に沿う両断面の少なくとも外側断面が開放された円筒部（５２）；及び
前記磁石装着部（４０）の離脱を防止し、前記開放部（５４ａ）を形成するように、前記円筒部（５２）の外側断面に備えられたリング型縁（５４）；を含むことを特徴とする磁石装着用部品（３０）。
【請求項４】
請求項３において、
微細回転角調整部（６０）は、前記受容部（５０）のリング型縁（５４）に形成された微細調整用鋸歯（６２）及び前記微細調整用鋸歯（６２）と噛み合って前記微細調整用鋸歯（６２）の周方向に沿って移動できるように前記磁石装着部（４０）に備えられた鋸歯突起（６４）を含むことを特徴とする磁石装着用部品（３０）。
【請求項５】
請求項３において、
前記受容部（５０）は、前記円筒部（５２）の外側面に周方向に沿って離隔され、複数突出形成されたリブ（ｒｉｂ）（５８）をさらに含むことを特徴とする磁石装着用部品（３０）。
【請求項６】
請求項１において、
前記微細回転角調整部（６０）は、前記受容部（５０）に前記磁石装着部（４０）の歯車（４２）と同軸に形成された微細調整用歯車（６２）、及び、前記微細調整用歯車（６２）と噛み合って前記微細調整用歯車（６２）の周方向に沿って移動できるように前記磁石装着部（４０）に備えられた鋸歯突起（６４）を含むことを特徴とする磁石装着用部品（３０）。
【請求項７】
請求項１または請求項２において、
前記磁石装着部（４０）が、前記受容部（５０）に対して前記歯車（４２）と同軸に回転される範囲を制限するストッパ（７０）をさらに含むことを特徴とする磁石装着用部品（３０）。
【請求項８】
請求項７において、
前記ストッパ（７０）は、前記磁石装着部（４０）に備えられた鋸歯突起（６４）が間に
挟まれ、前記磁石装着部（４０）が相対回転されるように前記受容部（５０）に複数突出形成され、間の間隔が前記磁石装着部（４０）の歯車（４２）の鋸歯間隔より大きい引っかかり部（７１、７２、７３、７４）を含むことを特徴とする磁石装着用部品（３０）。
【請求項９】
請求項８において、
前記磁石装着部（４０）に備えられた鋸歯突起（６４）は、回転中心に対して互いに対応配置された一対からなり、
前記複数の引っかかり部（７１、７２、７３、７４）は、一対の鋸歯突起（６４）に対応して複数対とからなり、各対との間隔が互いに異なることを特徴とする磁石装着用部品（３０）。
【請求項１０】
請求項８において、
前記微細回転角調整部（６０）は、前記受容部（５０）に備えられた前記引っかかり部（７１、７２、７３、７４）の間に前記磁石装着部（４０）の歯車（４２）と同軸に形成された微細調整用歯車（６２）及び、前記微細調整用歯車（６２）と噛み合って前記微細調整用歯車（６２）の周方向に沿って移動できるように前記磁石装着部（４０）に備えられた鋸歯突起（６４）を含むことを特徴とする磁石装着用部品（３０）。
【請求項１１】
請求項１乃至１０のいずれか一項において、
前記受容空間（５２ａ）の開放された部分が前記磁石装着部（４０）によって覆蓋されるように、前記磁石（１０）がくっつけられる素材でできており、前記受容部（５０）に結合された磁性体（８０）をさらに含むことを特徴とする磁石装着用部品（３０）。
【請求項１２】
請求項１１において、
前記磁性体（８０）は金属リングからなることを特徴とする磁石装着用部品（３０）。
【請求項１３】
請求項１２において、
前記金属リングの断面は半円であり、前記半円の平面（８０ａ）が前記磁石装着部（４０）と接合されるように前記受容部（５０）に結合されたことを特徴とする磁石装着用部品（３０）。
【請求項１４】
請求項１１において、
前記受容部（５０）は、前記磁性体（８０）に対応するように形成され、前記磁性体（８０）が受容される受容溝（５１）が形成されたことを特徴とする磁石装着用部品（３０）。
【請求項１５】
請求項１１において、
前記磁性体（８０）は前記受容空間（５２ａ）の開放された部分である開放部（５４ａ）の周面に結合されたことを特徴とする磁石装着用部品（３０）。
【請求項１６】
請求項３の磁石装着用部品（３０）；
前記磁石装着用部品（３０）が設置されるように部品設置溝（２２）が形成された本体（２０）；を
含むことを特徴とする磁石玩具。
【請求項１７】
請求項１６において、
前記本体（２０）は多角形ブロックとからなることを特徴とする磁石玩具。
【請求項１８】
請求項１６において、
前記磁石装着用部品（３０）の受容部（５０）は、前記円筒部（５２）の内側断面の端か
ら外側に突出し、前記本体（２０）に差し込まれるくさび部（５６）をさらに含むことを特徴とする磁石玩具。
【発明の詳細な説明】
【技術分野】
【０００１】
本発明は玩具分野に関するものであり、詳しくは、磁石を装着するための磁石装着用部品および磁石玩具に関するものである。
【背景技術】
【０００２】
最近、児童の創作能力を高めるための玩具として、磁石を用いて多様なブロックを組み立てて建物、自動車、ロボットなどを作り、楽しめる磁石玩具が多く開発されている。
【０００３】
基本的に磁石玩具は、玩具本体の各面に磁石を装着し、その装着された磁石が相互接合することで各玩具との結合を自由にできる構成を持つ。
【０００４】
しかし、磁石を用いた磁力結合だけでは単純にブロックらの面と面が触れ合いくっつくもので結合が不安定であるため、組立の途中や組立し終わった玩具で遊ぶ際に崩れやすい点、年齢によっては組立が簡単で、崩れやすい玩具にすぐ飽きてしまう点などが短所になり得る。
【０００５】
従って、児童の創作能力を高めるための方法が引き続き求められている。
【先行技術文献】
【特許文献】
【０００６】
【特許文献１】韓国公開特許１０−２０１１−００２６８９６（2011.3.16）「磁石玩具の回転磁石装着具」
【特許文献２】韓国公開特許１０−０９５４４２９（2010.4.15）「磁石玩具の磁石装着構造」
【特許文献３】韓国公開特許１０−１０３２６０９（2011.4.26）「玩具用磁石ブロックの構造」
【発明の概要】
【発明が解決しようとする課題】
【０００７】
本発明は、上記問題点を解決するために考案されたものであり、磁力結合とともに鋸歯の結合によって組み立てられる磁石装着用部品およびこれを含む磁石玩具を提供することを目的とする。
【０００８】
本発明のもう一つの目的は、鋸歯結合の微細調整が可能で、組立玩具の完成度を高めるようにした磁石装着用部品およびこれを含む磁石玩具を提供することである。
【課題を解決するための手段】
【０００９】
上記課題を解決するために、本発明は磁石（１０）が装着され、外部磁石が装着された磁石装着用部品と噛み合う歯車（４２）の備えられた磁石装着部（４０）；前記磁石装着部（４０）が受容され、前記磁石装着部（４０）の歯車（４２）が露出されるように開放部（５４a）の形成された受容部（５０）；前記磁石装着部（４０）と前記受容部（５０）
に互いに噛み合って回転できるように備えられ、前記磁石装着部（４０）の歯車（４２）の鋸歯の間隔より単位回転間隔がもっと小さく形成された微細回転角調整部（６０）を含むことを特徴とする磁石装着用部品（３０）を提示できる。
【００１０】
前記磁石装着部（４０）は、前記磁石（１０）が中央に装着され、軸方向に沿う両断面に各々前記歯車（４２）の備えられたリング形に形成され、前記受容空間（５２a）で回転
して前記歯車（４２）が備えられた両断面が裏返られる大きさで形成される。
【００１１】
前記受容部（５０）は、前記磁石装着部（４０）が受容される受容空間（５２a）を形成
し、軸方向に沿う両断面の少なくとも外側断面が開放された円筒部（５２）；及び前記磁石装着部（４０）の離脱を防止し前記開放部（５４a）を形成するように、前記円筒部（
５２）の外側断面に備えられたリング形縁（５４）；を含むことができる。
【００１２】
前記微細回転角調整部（６０）は、前記受容部（５０）のリング形縁（５４）に形成された微細調整用歯車（６２）及び、前記微細調整用歯車（６２）に噛み合って前記微細調整用歯車（６２）の周方向に沿って移動できるように前記磁石装着用（４０）に備えられた鋸歯突起（６４）を含むことができる。
【００１３】
前記微細回転角調整部（６０）は、前記受容部（５０）に前記磁石装着部（４０）の歯車（４２）と同軸に形成された微細調整用歯車（６２）及び、前記微細調整用歯車（６２）と噛み合って前記微細調整用歯車（６２）の周方向に沿って移動できるように前記磁石装着部（４０）に備えられた鋸歯突起（６４）を含むことができる。
【００１４】
前記磁石装着部（４０）が前記受容部（５０）に対して前記歯車（４２）と同軸に回転される範囲を制限するストッパ（７０）をさらに含むことができる。
【００１５】
前記ストッパ（７０）は、前記磁石装着部（４０）に備えられた鋸歯突起（６４）が間に挟まれ、前記磁石装着部（４０）が相対回転できるように前記受容部（５０）に複数突出形成され、間の間隔が前記磁石装着部（４０）の歯車（４２）の鋸歯間隔より大きい引っかかり部（７１、７２、７３、７４）を含むことができる。
【００１６】
前記磁石装着部（４０）に備えられた鋸歯突起（６４）は、回転中心に対して互いに対応配置された一対からなり、前記複数の引っかかり部（７１、７２、７３、７４）は一対の鋸歯突起（６４）に対応して複数対とからなり、各対との間隔が互いに異なることを特徴とすることができる。
【００１７】
前記微細回転角調整部（６０）は、前記受容部（５０）に備えられた前記引っかかり部（７１、７２、７３、７４）の間に前記磁石装着部（４０）の歯車（４２）と同軸に形成された微細調整用歯車（６２）及び、前記微細調整用歯車（６２）と噛み合って前記微細調整用歯車（６２）の周方向に沿って移動できるように前記磁石装着部（４０）に備えられた鋸歯突起（６４）を含むことができる。
【００１８】
また、本発明は前記磁石装着用部品（３０）；および前記磁石装着用部品（３０）が設置されるように部品設置溝（２２）が形成された本体（２０）；を含むことを特徴とする磁石玩具を併せて提示することができる。
【００１９】
前記本体（２０）は多角形ブロックとからなる。
【００２０】
前記磁石装着用部品（３０）の受容部（５０）は、前記円筒部（５２）の内側断面側の端から外側に突出され、前記本体（２０）に差し込まれるくさび部（５６）をさらに含むことができる。
【発明の効果】
【００２１】
本発明は磁石による磁力とともに歯車の結合によって玩具同士がより堅固に結合でき、特に歯車の結合を補って微細回転角を調整できることで組立の完成度が高い。
【００２２】
また、本発明は歯車の結合することで、自然に科学的学習が可能であるため、児童の創作能力をより高め、持続的な興味をかき立てられる。
【００２３】
なお、玩具を結合しない場合にも、受容部の溝が磁石装着部によって覆蓋され受容部が密閉される可能性があるため、異物の受容部への流入を防止できる上、磁石装着部が動いて受容部と衝突する際の騒音を防止することができる。
【図面の簡単な説明】
【００２４】
【図１】図１以下は本発明による磁石玩具に関するもので、図１は本体から一つの磁石装着用部品が分解された状態斜視図
【図２】図２は磁石装着用部品の分解状態断面図
【図３】図３は磁石装着用部品の分解状態平面図
【図４】図４は磁石装着用部品の組立状態平面図
【図５】図５は磁石装着用部品に装着された磁石らの磁力による相互作用を模式した斜視図
【図６】図６は第１玩具と第２玩具の初期組立状態斜視図
【図７】図７は図６の磁石装着用部品の組立状態平面図
【図８】図８は図７から磁石装着部が受容部に対して相対回転された状態平面図
【図９】図９は第１玩具と第２玩具の歯車作動による１次整列状態斜視図
【図１０】図１０は図９の磁石装着用部品の組立状態平面図
【図１１】図１１は第１玩具と第２玩具の歯車作動による２次（最終）整列状態斜視図
【図１２】図１２は図１１の磁石装着用部品の組立状態平面図
【発明を実施するための形態】
【００２５】
以下、添付の図面を参考にして、本発明の実施例について詳しく説明する。
【００２６】
ただ、本発明を説明するにおいて、公知された機能または構成に関する具体的な説明が本発明の要旨を逸脱しないように省略する。
【００２７】
図１以下に図示されたとおり、本発明による磁石玩具は基本的に磁石（１０）が装着される本体（２０）を含む。
【００２８】
本体（２０）は六方体、長方形、円筒形など多様な形状、構造とからなり、ただ、磁石（１０）が突出される構造に装着されるより内蔵されるように、後術の磁石装着用部品（３０）が挿入・固定される部品設置溝（２２）が一つ以上形成されることが好ましい。本体（２０）の部品設置溝（２２）は磁石装着用部品（３０）が隙間なく内蔵できるように、磁石装着用部品（３０）の受容部（５０）の外形に対応するように形成され得る。
【００２９】
本体（２０）は多様な素材に形成されることができ、特に地球にやさしい木材に形成され得る。
【００３０】
磁石（１０）は磁石装着用部品（３０）によって装着された状態で本体（２０）と結合され得る。
【００３１】
磁石装着用部品（３０）は、特に玩具と玩具が磁石（１０）による磁力結合と鋸歯結合によって組み立てられるようにすることを特徴とすることができる。
【００３２】
そのために、磁石装着用部品（３０）は磁石（１０）が装着され、歯車（４２）の備えられた磁石装着部（４０）と；磁石装着部（４０）が受容されて磁石装着部（４０）の歯車
（４２）が露出されるように開放部（５４a）の形成された受容部（５０）と；磁石装着
部（４０）と受容部（５０）との間に互いに噛み合って回転できるように備えられ、磁石装着部（４０）の歯車（４２）の鋸歯間隔より単位回転間隔がより小さく形成された微細回転角調整部（６０）；を含むことを特徴とすることができる。
【００３３】
磁石装着部（４０）は、受容部（５０）内で容易に回転できるように基本的に円形構造とからなる。特に、磁石装着部（４０）は中央に磁石（１０）が内蔵できる空間を有するリング型の本体部（４４）を含むことができる。
【００３４】
特に、リング型本体部（４４）は受容部（５０）内で回転してリング型本体部（４４）の軸方向（矢印S）による両断面がひっくり返れる大きさで形成されることを特徴とするこ
とができる。つまり、全ての磁石（１０）はN極とS極を有するが、同極同士で斥力が働くと玩具同士の結合が不可能な場合がある。従って、磁石（１０）の装着された磁石装着部（４０）が磁石（１０）による引力によって受容部（５０）内で自由に回転して磁石（１０）によって接合されるのが好ましい。
【００３５】
このようにリング型本体部（４４）がなされることで、磁石（１０）は磁石装着部（４０）と回転中心が一致するとともに磁石装着部（４０）が円滑に回転するように円板型に形成され、他玩具の磁石と面対面に接合されるように軸方向又は半径方向に沿ってN極とS極が分かれる。
【００３６】
また、これによって磁石（１０）の磁力によってリング型本体部（４４）の軸方向（矢印S）に沿う両断面のいずれか一面が受容部（５０）の開放部（５４a）を通じて外部に露出されるため、リング型本体部（４４）に備えられた歯車（４２）はリング型本体部（４４）の軸方向（矢印S）に沿う両断面の少なくとも一面に備えられる。特に、磁石装着部（
４０）が磁石（１０）の磁力作用によって受容部（５０）内で軸方向に沿う両断面がひっくり返ることに対応し、磁石装着部（４０）の歯車（４２）はリング型本体部（４４）の軸方向（矢印S）に沿う両断面に各々備えられる。もちろん、磁石装着部（４０）の歯車
（４２）もリング型本体部（４４）に対応してリング型本体部（４４）と回転中心が一致するリング型に形成され得る。つまり、歯車（４２）の鋸歯がリング型本体部（４４）の周方向に沿って複数形成され得る。このとき、歯車（４２）の鋸歯間隔は微細調整の側面から小さいほど良いが、製造の限界などを考えて大体５度が好ましい。歯車（４２）はリング型本体部（４４）と一体に形成され、リング型本体部（４４）とは別途製作された後、一体に結合され得る。
【００３７】
受容部（５０）は磁石装着部（４０）が受容される受容空間（５２a）を形成し、磁石装
着部（４０）の円形構造に対応して円形構造になるように円筒型に形成された円筒部（５２）を含むことができる。円筒部（５２）は軸方向に沿う両断面のうち、本体（２０）の部品設置溝（２２）外部に露出される側の外側断面が開放されることで、磁石装着部（４０）の歯車（４２）が外部に露出され他玩具の歯車と噛み合うこともある。また、円筒部（５２）は軸方向による両断面のうち、他方の断面である内側断面も開放される場合もあり、これによって円筒部（５２）の開放された内側断面を通じて磁石装着部（４０）が円筒部（５２）に挿入または受容されるか分離され得る。このような円筒部（５２）は磁石装着部（４０）が自由に回転でき、磁石装着部（４０）の回転中心と円筒部（５２）の軸中心が一致するように、内部断面の半径（５２R）が磁石装着部（４０）のリング型本体
部（４４）の半径と鋸歯突起（６４）長さの合計と同一または少し大きく、長さ（５２L
）が磁石装着部（４０）のリング型本体部（４４）の軸方向（矢印S）による厚さより大
きく、磁石装着部（４０）のリング型本体部（４４）の直径よりは小さい。
【００３８】
また、受容部（５０）は磁石装着部（４０）の離脱を防止し、磁石装着部（４０）の歯車
（４２）が外部に露出される開放部（５４a）を形成するように円筒部（５２）の外側断
面に備えられたリング型縁（５４）をさらに含むことができる。
【００３９】
リング型縁（５４）の外径はリング型縁（５４）が円筒部（５２）の端に連結されるように円筒部（５２）の内径または外径と同一であり得る。リング型縁（５４）の内径は磁石装着部（４０）の歯車（４２）が外部に完全に露出されるように磁石装着部（４０）の歯車（４２）の外径と同一またはもっと大きい場合がある。特に、リング型縁（５４）の内径は磁石装着部（４０）に備えられた鋸歯突起（６４）が隠され、開放部（５４a）が磁
石装着部（４０）のリング型本体部（４４）の外径と同一の場合がある。
【００４０】
また、受容部（５０）は木材に形成された本体（２０）に固定されるように、円筒部（５２）の内側断面側の端から外側に突き出され本体（２０）に差し込まれるくさび部（５６）をさらに含むことができる。もちろん、くさび部（５６）は図示されたもの以外にも多様に形成される。
【００４１】
また、受容部（５０）は本体（２０）により堅固に固定され、相対回転が起こらないように、円筒部（５２）の外側面に突出形成されたリブ（ｒｉｂ）（５８）をさらに含むことができる。
リブ（５８）は円筒部（５２）の周方向に沿って互いに離隔され複数形成され得る。リブ（５８）は円筒部（５２）が本体（２０）から離脱されるのを防止できるように円筒部（５２）の内側断面から外側断面へ行くほど円筒部（５２）から突き出される長さが徐々に長くなる三角形形状をとる。
【００４２】
微細回転角調整部（６０）は受容部（５０）のリング型縁（５４）に磁石装着部（４０）の歯車（４２）と同軸に形成され、その鋸歯間隔が磁石装着部（４０）の歯車（４２）の鋸歯間隔より小さい微細調整用歯車（６２）及び、微細調整用歯車（６２）と噛み合って微細調整用歯車（６２）の周方向に沿って移動できるように磁石装着部（４０）に備えられた鋸歯突起（６４）を含むことができる。
【００４３】
従って、微細回転角調整部（６０）によって磁石装着部（４０）が受容部（５０）に対して相対回転することができ、特に鋸歯突起（６４）が微細調整用歯車（６２）を一つずつ移動するたびに相対回転角度が微小で、玩具と玩具との微細回転角を調整が可能である。
【００４４】
このような微細調整用歯車（６２）は磁石装着部（４０）の歯車（４２）が噛み合って回転する時より、少ない力で鋸歯突起（６４）が回転できるように磁石装着部（４０）の歯車（４２）より微細な大きさで形成できる。
【００４５】
鋸歯突起（６４）は１又は複数形成することができ、好ましくは磁石装着部（４０）の構造的安定感などのために磁石装着部（４０）の回転中心に対して半径方向に沿って互いに対向配置された一対からなる。
【００４６】
一方、本発明は磁石装着部（４０）が受容部（５０）に対して歯車（４２）と同軸に回転される範囲を制限するストッパ（７０）をさらに含むことができる。
【００４７】
即ち、ストッパ（７０）は受容部（５０）のリング型縁（５４）の内側面に周方向に沿って互いに離隔され、複数突き出され磁石装着部（４０）に備えられた鋸歯突起（６４）が引っかかるように形成され、その間隔が磁石装着部（４０）の歯車（４２）の鋸歯間隔よりさらに大きい引っかかり部（７１、７２、７３、７４）を含むことができる。ここで、ストッパ（７０）の引っかかり部（７１、７２、７３、７４）が受容部（５０）のリング型縁（５４）に微細調整用の歯車（６２）とともに形成されることで、微細調整用の歯車
（６２）の鋸歯らはストッパ（７０）の引っかかり部（７１、７２、７３、７４）との間に限定し形成され得る。
【００４８】
複数の引っかかり部（７１、７２、７３、７４）は磁石装着部（４０）の一対の鋸歯突起（６４）に対応して複数対とからなり、各対の間隔が互いに相違し得る。つまり、各対の引っかかり部（７１、７２、７３、７４）らは磁石装着部（４０）の一対の鋸歯突起（６４）に対応して互いに１８０度の間隔に形成され、
この場合、磁石装着部（４０）に備えられた鋸歯突起（６４）がどの引っかかり部（７１、７２、７３、７４）との間に挟められたかによって、磁石装着部（４０）の受容部（５０）に対する相対回転角が変わり得る。
【００４９】
このような引っかかり部（７１、７２、７３、７４）は磁石装着部（４０）に備えられた鋸歯突起（６４）が相対回転して乗り越えられないように、突出の長さ（７０Ｌ）が磁石装着部（４０）の歯車（４２）の鋸歯の高さよりは大きいのが好ましい。
【００５０】
このような磁石装着部（４０）は多様な素材に形成され、好ましくは精密な微細に加工しやすく、木材柄のようなイメージを与えるために多様な色の表現が可能で、軽いなどの理由から合成樹脂とからなり得る。
【００５１】
磁性体（８０）は玩具との結合がない場合にも、受容空間（５２ａ）の開放された部分が磁石装着部（４０）によって覆蓋され、受容空間（５２ａ）が密閉されるように磁石（１０）がくっつけられる素材でできており受容部（５０）に結合され得る。
【００５２】
磁性体（８０）は受容部（５０）の開放部（５４ａ）の周面に結合され得る。この場合、磁性体（８０）は磁石（１０）を直接的に受容部（５０）の開放部（５４ａ）側に引き寄せられ、受容部（５０）の開放部（５４a）が容易かつ確実に覆蓋されることができる。
【００５３】
また、磁性体（８０）が磁石（１０）と対向されることで磁性体（８０）と磁石（１０）が直接的に相互作用できる。なお、磁性体（８０）が受容部（５０）と磁石装着部（４０）間の有機的結合関係を妨害せずに、受容部（５０）と容易に結合できる。
【００５４】
このような磁性体（８０）は磁性体（８０）の形状に対応されるように受容部（５０）に形成された受容溝（５１）に受容され得る。
【００５５】
磁性体（８０）は磁性の優れた鉄のような金属素材に形成されるのが有利であり、方向性などに制限されずに磁石（１０）と容易かつ強固に相互作用できるようにリング型に形成され得る。
【００５６】
つまり、磁性体（８０）は金属リングとからなり得る。特に、金属リングの断面は半円であり、半円の平面（８０a）が磁石装着部（４０）と接合されるように受容部（５０）に
結合され、これによって磁性体（８０）の大きさ対比磁性体（８０）と磁石装着部（４０）の結合面積は広く確保され、磁性体（８０）と磁石（１０）との間に相互作用が大きく作用され得る。
【００５７】
上述のような本発明による磁石装着用部品（３０）の装着された玩具らの組立に関して詳細に説明すると下記のとおりである。説明に先立って、基準の玩具を第１玩具（２）とし、第１玩具（２）と磁石装着用部品（３０）を通じて組み立てられる相手玩具を第２玩具（４）と記載し、図面に図示する。第１玩具（２）と第２玩具（４）の本体（２０）は互いに同じ形状である場合も、異なる形状である場合もある。ただ、第１玩具（２）と第２玩具（４）の磁石装着用部品（３０）は互いに同一である。
【００５８】
第１玩具（２）の磁石装着用部品（３０）に第２玩具（４）の磁石装着用部品（３０）に第２玩具（４）の磁石装着用部品（３０）が接するように第１玩具（２）に第２玩具（４）をくっつけると、磁力、つまり引力によって第１玩具（２）の磁石（１０）と第２玩具（４）の磁石（１０）が互いに接合され、第１玩具（２）の歯車（４２）と第２玩具（４）の歯車（４２）が噛み合うようになる。
【００５９】
この際、第１玩具（２）の磁石（１０）と第２玩具（４）の磁石（１０）が磁力によって接合されるとき、特に図５のとおり、第１玩具（２）の磁石（１０）と第２玩具（４）の磁石（１０）との間に引力が働くように第１玩具（２）の磁石装着部（４０）と第２玩具（４）の磁石装着部（４０）は受容部（５０）内で回転され裏返られる。そして、第１玩具（２）の磁石装着部（４０）と第２玩具（４）の磁石装着部（４０）は磁力によって受容部（５０）の外側断面側に引っ張られることで、磁石装着部（４０）に備えられた鋸歯突起（６４）が受容部（５０）に備えられた微細調整用歯車（６２）の引っかかり部（７１、７２、７３、７４）らの間の鋸歯に噛み合うことができる。
【００６０】
従って、磁石（１０）による磁力によって第１玩具（２）と第２玩具（４）が組み立てられた状態が維持できる。そして、歯車（４２）が噛み合うことで第１玩具（２）と第２玩具（４）の磁石（１０）の中心が相互一致し、第１玩具（２）と第２玩具（４）間のスリップ（slip）、相対回転などが防止できる。
【００６１】
また、第１玩具（２）と第２玩具（４）の歯車（４２）が噛み合っている状態で、第１玩具（２）に対して第２玩具（４）を相対回転させることができる。これに従い、第１玩具（２）と第２玩具（４）の組立て位置関係が歪まないように、第１玩具（２）と第２玩具（４）の接合面を一致させ、第１玩具（２）と第２玩具（４）を整列させることで、第１玩具（２）と第２玩具（４）の組立て完成度を高められる。その上、第１玩具（２）と第２玩具（４）の歯車（４２）が噛み合うプロセスを通じて科学的学習もでき、児童の創作能力を高められる。そして、第１玩具（２）と第２玩具（４）の歯車（４２）が噛み合う際の摩擦音が児童の聴覚を刺激し、興味及び創作能力を高められる。
【００６２】
第１玩具（２）と第２玩具（４）の歯車（４２）との噛み合い回転は特に図６以下を参照すると、具体的に次のように行われる。
【００６３】
図６及び図７のように、第１玩具（２）と第２玩具（４）の歯車（４２）が噛み合っている状態で、第１玩具（２）に対して第２玩具（４）を相対回転させたとき、第１玩具（２）と第２玩具（４）の各磁石装着部（４０）に備えられた鋸歯突起（６４）が各受容部（５０）の引っかかり部（７１、７２、７３、７４）にかかっている状態でなければ、図８に図示されたように、第１玩具（２）と第２玩具（４）の歯車（４２）らが噛み合って一体に回転されながら、第１玩具（２）と第２玩具（４）の各磁石装着部（４０）が各受容部（５０）に対して相対回転し、この時、第１玩具（２）と第２玩具（４）の本体（２０）らとの間での相対回転はない。
【００６４】
図８のように、第１玩具（２）と第２玩具（４）の各磁石装着部（４０）に備えられた鋸歯突起（６４）が各受容部（５０）の引っかかり部（７１、７２、７３、７４）に引っかかると、第１玩具（２）と第２玩具（４）の各磁石装着部（４０）が各受容部（５０）と一体に回転されるため、図９及び図１０のように第１玩具（２）の歯車（４２）に対して第２玩具（４）の歯車（４２）が相対回転し、これによって第１玩具（２）に対して第２玩具（４）が相対回転して第１玩具（２）と第２玩具（４）が整列される。
【００６５】
この際、磁石装着部（４０）の歯車（４２）による回転角の単位は鋸歯と鋸歯との間隔に
よって定められる。例えば、鋸歯と鋸歯との間隔が５度であれば、磁石装着部（４０）の歯車（４２）によって一度に５度ずつ回転し、従って磁石装着部（４０）の歯車（４２）によって５度未満の回転角調整が不可能である。即ち、第１玩具（２）に対して第２玩具（４）の歯車（４２）間の噛み合いからは回転角の調整が難しく、微細整列が不可能である。
【００６６】
しかし、第１玩具（２）と第２玩具（４）の各磁石装着部（４０）は各受容部（５０）に対して相対回転ができるため、図９及び図１０のように、第１玩具（２）と第２玩具（４）の歯車（４２）間の噛み合いによって、第１玩具（２）と第２玩具（４）の整列がほとんど行われた状態において、図１１及び図１２のように第１玩具（２）と第２玩具（４）の歯車（４２）間か見合い回転方向と反対方向に第１玩具（２）又は第２玩具（４）を回転させると、第１玩具（２）又は第２玩具（４）の磁石装着部（４０）に備えられた鋸歯突起（６４）が微細調整用歯車（６２）と噛み合っている状態で受容部（５０）の引っかかり部（７１、７２、７３、７４）から離隔される方向に相対回転され、これによって第１玩具（２）と第２玩具（４）の相対回転がさらに行われることができ、第１玩具（２）と第２玩具（４）が互いに一致するように整列できる。このとき、第１玩具（２）と第２玩具（４）の相対回転は微細調整用歯車（６２）の鋸歯間隔によって調整され得る。例えば、微細調整用歯車（６２）の鋸歯との間隔が１度であれば、磁石装着部（４０）が受容部（５０）に対して一度に１度ずつ相対回転されることで、微細回転角が調整できる。
【００６７】
従って、第１玩具（２）と第２玩具（４）の組立て完成度が高まる可能性がある。
【００６８】
このような本発明による磁石装着用部品（３０）は、特に磁石玩具の本体（２０）が六方体などのように多角形ブロックに形成され、玩具と玩具間の整列関係が組立て完成度に大きい影響を与える場合、組立て完成度を高めるのに効果的である。
【００６９】
以上、本発明の好ましい実施例を説明したが、本発明の範囲はこのような特定の実施例にのみ限定されるわけではなく、特許請求範囲に記載の範疇内で適切に変更可能である。
【図１】
2015503396.tif 000003
【図２】
2015503396.tif 000004
【図３】
2015503396.tif 000005
【図４】
2015503396.tif 000006
【図５】
2015503396.tif 000007
【図６】
2015503396.tif 000008
【図７】
2015503396.tif 000009
【図８】
2015503396.tif 000010
【図９】
2015503396.tif 000011
【図１０】
2015503396.tif 000012
【図１１】
2015503396.tif 000013
【図１２】
2015503396.tif 000014
【国際調査報告】
2015503396.tif 000015
2015503396.tif 000016
2015503396.tif 000017
2015503396.tif 000018